(57)【要約】【課題】セルエッジの移動局装置の受信特性を改善するＣｅｌｌ−ｓｐｅｃｉｆｉｃ  ｒｅｆｅｒｅｎｃｅ  ｓｉｇｎａｌｓ  ｗｉｔｈ  ＧＳを適用したマルチセルＭＢＭＳにおいて、セルエッジの移動局装置の受信特性を劣化させることなく、セルエッジに位置しない移動局装置に対しても受信特性の改善を図る。【解決手段】参照シンボルとデータシンボルをサブキャリアで送信する基地局装置が、送信エリアを複数のセクタに分けて送信を行う送信機を複数備える。各送信機は、複数のサブキャリアをまとめてサブキャリアグループとし、各サブキャリアグループに対応して設けられた位相回転部１０６により、送信する参照シンボルとデータシンボルにセクタ固有且つ同一の位相回転量による位相回転を与える。【選択図】図４
2008042249.tif 000002
【特許請求の範囲】
【請求項１】
予め既知の参照シンボルと送信するデータを変調して構成したデータシンボルとを複数のサブキャリアで送信する基地局装置と、この基地局装置から送信される信号を受信し、受信した参照シンボルに基づき推定した伝搬路応答に従って前記受信したデータシンボルを伝搬路補償して、伝搬路補償されたデータシンボルを復調する移動局装置とを有する移動通信システムであって、
前記基地局装置は、
送信エリアを１つ以上のセクタとして送信を行うセクタ毎に対応した送信機を備え、この各送信機が有する１つ以上の送信アンテナの各々が、少なくとも１つの前記参照シンボルおよび複数の前記データシンボルを含んで成る複数の前記サブキャリアをサブキャリアグループとして、該サブキャリアグループ毎にスクランブリング符号を乗算し更に一定の位相回転量による位相回転を行って、前記参照シンボルと各送信アンテナから同一の前記データシンボルとを送信し、
前記移動局装置は、
前記各送信アンテナからの合成された参照シンボルに基づいて合成された伝搬路応答の推定値を算出し、該合成された伝搬路応答の推定値に従って前記各送信アンテナからの合成されたデータシンボルを伝搬路補償し、伝搬路補償されたデータシンボルを復調する
ことを特徴とする移動通信システム。
【請求項２】
前記位相回転量は、全ての送信アンテナで固有の値であることを特徴とする請求項１に記載の移動通信システム。
【請求項３】
前記位相回転量は、セクタ固有の値であることを特徴とする請求項１に記載の移動通信システム。
【請求項４】
前記位相回転量は、同一セクタ内において送信アンテナ固有の値であることを特徴とする請求項１に記載の移動通信システム。
【請求項５】
前記位相回転量は、複数の連続するサブキャリアグループについて各セクタ間または各送信アンテナ間で直交する直交符号を与える値であることを特徴とする請求項１に記載の移動通信システム。
【請求項６】
前記スクランブリング符号は、基地局装置固有であることを特徴とする請求項１から請求項５のいずれかの項に記載の移動通信システム。
【請求項７】
前記スクランブリング符号は、セクタ固有であることを特徴とする請求項１から請求項４のいずれかの項に記載の移動通信システム。
【請求項８】
前記位相回転量は隣接するサブキャリアグループ間で位相差が一定となるように制御されることを特徴とする請求項１から請求項７のいずれかの項に記載の移動通信システム。
【請求項９】
前記位相回転量はＭＢＭＳデータを送信する場合に付与されることを特徴とする請求項１から請求項８のいずれかの項に記載の移動通信システム。
【請求項１０】
予め既知の参照シンボルと送信するデータを変調して構成したデータシンボルとを複数のサブキャリアで移動局装置に送信する基地局装置であって、
送信エリアを１つ以上のセクタとして送信を行うセクタ毎に対応した送信機を備え、この各送信機が有する１つ以上の送信アンテナの各々が、少なくとも１つの前記参照シンボルおよび複数の前記データシンボルを含んで成る複数の前記サブキャリアをサブキャリアグループとして、該サブキャリアグループ毎にスクランブリング符号を乗算し更に一定の位相回転量による位相回転を行って、前記参照シンボルと各送信アンテナから同一の前記データシンボルとを送信する
ことを特徴とする基地局装置。
【請求項１１】
前記位相回転量は、全ての送信アンテナで固有の値であることを特徴とする請求項１０に記載の基地局装置。
【請求項１２】
前記位相回転量は、セクタ固有の値であることを特徴とする請求項１０に記載の基地局装置。
【請求項１３】
前記位相回転量は、同一セクタ内において送信アンテナ固有の値であることを特徴とする請求項１０に記載の基地局装置。
【請求項１４】
前記位相回転量は、複数の連続するサブキャリアグループについて各セクタ間または各送信アンテナ間で直交する直交符号を与える値であることを特徴とする請求項１０に記載の基地局装置。
【請求項１５】
前記スクランブリング符号は、基地局装置固有であることを特徴とする請求項１０から請求項１４のいずれかの項に記載の基地局装置。
【請求項１６】
前記スクランブリング符号は、セクタ固有であることを特徴とする請求項１０から請求項１３のいずれかの項に記載の基地局装置。
【請求項１７】
前記位相回転量は隣接するサブキャリアグループ間で位相差が一定となるように制御されることを特徴とする請求項１０から請求項１６のいずれかの項に記載の基地局装置。
【請求項１８】
前記位相回転量はＭＢＭＳデータを送信する場合に付与されることを特徴とする請求項１０から請求項１７のいずれかの項に記載の基地局装置。
【請求項１９】
送信エリアを１つ以上のセクタとして送信を行うセクタ毎に対応した送信機を備え、予め既知の参照シンボルと送信するデータを変調して構成したデータシンボルとを複数のサブキャリアで送信する基地局装置と、この基地局装置から送信される信号を受信してデータシンボルの復調を行う移動局装置とを有する移動通信システムの通信方法であって、
前記各送信機が有する１つ以上の送信アンテナの各々が、
少なくとも１つの前記参照シンボルおよび複数の前記データシンボルを含んで成る複数の前記サブキャリアをサブキャリアグループとして、該サブキャリアグループ毎にスクランブリング符号を乗算するステップと、
該サブキャリアグループ毎に更に一定の位相回転量による位相回転を行うステップと、
前記位相回転された参照シンボルおよび各送信アンテナからの同一のデータシンボルを送信するステップと、
前記移動局装置が、
前記各送信アンテナからの合成された参照シンボルに基づいて合成された伝搬路応答の推定値を算出するステップと、
前記合成された伝搬路応答の推定値に従って前記各送信アンテナからの合成されたデータシンボルを伝搬路補償するステップと、
前記伝搬路補償されたデータシンボルを復調するステップと
を有することを特徴とする通信方法。
【請求項２０】
前記位相回転量は、全ての送信アンテナで固有の値であることを特徴とする請求項１９に記載の通信方法。
【請求項２１】
前記位相回転量は、セクタ固有の値であることを特徴とする請求項１９に記載の通信方法。
【請求項２２】
前記位相回転量は、同一セクタ内において送信アンテナ固有の値であることを特徴とする請求項１９に記載の通信方法。
【請求項２３】
前記位相回転量は、複数の連続するサブキャリアグループについて各セクタ間または各送信アンテナ間で直交する直交符号を与える値であることを特徴とする請求項１９に記載の通信方法。
【請求項２４】
前記スクランブリング符号は、基地局装置固有であることを特徴とする請求項１９から請求項２３のいずれかの項に記載の通信方法。
【請求項２５】
前記スクランブリング符号は、セクタ固有であることを特徴とする請求項１９から請求項２２のいずれかの項に記載の通信方法。
【請求項２６】
前記位相回転量を隣接するサブキャリアグループ間で位相差が一定となるように設定することを特徴とする請求項１９から請求項２５のいずれかの項に記載の通信方法。
【請求項２７】
前記位相回転量はＭＢＭＳデータを送信する場合に付与されることを特徴とする請求項１９から請求項２６のいずれかの項に記載の通信方法。
【発明の詳細な説明】
【技術分野】
【０００１】
本発明は移動通信システム、基地局装置、および通信方法に係り、特に複数の基地局から同一のマルチメディアサービスを移動局装置へ提供する移動通信システム、基地局装置、および通信方法に関する。
【背景技術】
【０００２】
近年の移動体通信システムにおいては、１つの基地局装置対１つの移動局装置の関係により、電話サービスやインターネット接続サービスが提供されている。こうした基地局装置と移動局装置間の１対１の通信による情報配信では、必要な無線リソースを移動局装置毎に確保する必要がある。
【０００３】
一方、移動体通信システムの更なるサービス向上を目指し、例えばスポーツ中継や天気予報、ラジオなどのマルチメディア情報を、同時に複数のユーザーに配信する通信方法に対する関心が高まっている。複数ユーザーへの情報配信を実現する放送型マルチメディアサービスでは、１つの情報を同時に複数のユーザーに配信するために、基地局装置から共通の無線リソースを用いて複数の移動局装置にデータを送信する。これにより、無線リソースを節約したデータ送信が行われて、そのデータを同時に複数の移動局装置が受信可能となる。
【０００４】
このような放送型マルチメディアサービスを可能にする技術を、３ＧＰＰ（３ｒｄ  Ｇｅｎｅｒａｔｉｏｎ  Ｐａｒｔｎｅｒｓｈｉｐ  Ｐｒｏｊｅｃｔ）ではＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）と呼んでいる。ＭＢＭＳには、各基地局装置が異なるマルチメディアサービスを提供する形態（以下、シングルセルＭＢＭＳと称す）と、複数の基地局装置で同一のマルチメディアサービスを同時に提供する形態（以下、マルチセルＭＢＭＳと称す）とがある。
【０００５】
マルチセルＭＢＭＳでは、セルエッジにおいて受信電力が小さい場合に移動局装置の受信特性を改善する方法の１つとして、ソフトコンバイニングが利用される。ソフトコンバイニングは、各基地局装置が同一の信号を送信し、移動局装置では複数の基地局装置からの当該同一の信号を同時に受信し合成することによって、受信電力の増大を図る通信方法である。
【０００６】
ところで、近年、次世代移動通信システムの検討も盛んに進められており、３ＧＰＰにおいては、基地局装置から移動局装置への下りリンクに用いるアクセス方式としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）を採用したシステムが検討されている。この下りリンクＯＦＤＭＡシステムにマルチセルＭＢＭＳを適用した場合において、上記のソフトコンバイニングより受信特性を改善する方法、すなわちＣｅｌｌ−ｓｐｅｃｉｆｉｃ  ｒｅｆｅｒｅｎｃｅ  ｓｉｇｎａｌｓ  ｗｉｔｈ  Ｇｒｏｕｐ  Ｓｃｒａｍｂｌｉｎｇ（以下、Ｃｅｌｌ−ｓｐｅｃｉｆｉｃ  ｒｅｆｅｒｅｎｃｅ  ｓｉｇｎａｌｓ  ｗｉｔｈ  ＧＳと略す）が提案されている（非特許文献１参照）。
【０００７】
ここで、Ｃｅｌｌ−ｓｐｅｃｉｆｉｃ  ｒｅｆｅｒｅｎｃｅ  ｓｉｇｎａｌｓ  ｗｉｔｈ  ＧＳの処理について説明する。
基地局装置は、複数の移動局装置へ配信するデータ（ＭＢＭＳデータ）を多数のサブキャリアにより送信する。サブキャリアは、いくつかのサブキャリアグループに分けられている。各サブキャリアグループには、伝搬路推定に用いるための参照シンボルが少なくとも一つ含まれる。例えば、１つのサブキャリアグループを３つのサブキャリアで構成し、参照シンボルを各サブキャリアグループにおける最低周波数を持つサブキャリアの先頭ＯＦＤＭシンボルに配置する。
【０００８】
図１２は、スクランブリング符号を用いたスクランブリングの説明図である。基地局装置は、各サブキャリアグループの参照シンボルをセル固有のスクランブリング符号によってスクランブルする。また、各サブキャリアグループのデータシンボルを参照シンボルに用いたものと同じスクランブリング符号によってスクランブルする。そして、スクランブルした参照シンボルとデータシンボルにＩＦＦＴ（Ｉｎｖｅｒｓｅ  Ｆａｓｔ  Ｆｏｕｒｉｅｒ  Ｔｒａｎｓｆｏｒｍ；逆高速フーリエ変換）を行い、さらに無線送信処理を行って無線周波数でデータを送信する。各基地局装置は同様のスクランブルを行ってＭＢＭＳデータを送信する。
【０００９】
移動局装置は、上記のように送信される信号を受信し、各サブキャリアグループ内の合成された参照シンボルより推定した伝搬路応答の推定値を用いて、各サブキャリアグループ内のデータシンボルの伝搬路補償を行う。そして、伝搬路補償したデータシンボルを復調して、ＭＢＭＳデータを取り出す。この点については以下で詳述する。
【００１０】
ここで、サブキャリアグループ１について、基地局装置でのスクランブルと移動局装置での復調の具体例を説明する。図１２において、セルＡを管理する基地局装置は、参照シンボルＲ１とデータシンボルＤを同一のスクランブリング符号ＳＣｅｌｌＡ１によりスクランブルし、送信する。送信信号は、それぞれＲ１×ＳＣｅｌｌＡ１、Ｄ×ＳＣｅｌｌＡ１となる。同様に、セルＢを管理する基地局装置は、参照シンボルＲ１とデータシンボルＤ（マルチセルＭＢＭＳであるのでセルＡからのＭＢＭＳデータと同じＭＢＭＳデータを送信する）を同一のスクランブリング符号ＳＣｅｌｌＢ１によりスクランブルし、送信する。このスクランブリング符号ＳＣｅｌｌＢ１は、セルＡを管理する基地局装置において用いられるスクランブリング符号ＳＣｅｌｌＡ１とは別のものである。送信信号は、それぞれＲ１×ＳＣｅｌｌＢ１、Ｄ×ＳＣｅｌｌＢ１となる。送信された各シンボルは、伝搬路から伝搬路応答ｈＡ、ｈＢを受けて、移動局装置に受信される。すると、移動局装置で受信される、各セルからの合成された参照シンボルＲ’とデータシンボルＤ’は、それぞれ次の数１および数２で表されることになる。
【００１１】
【数１】
2008042249.tif 000003
【００１２】
【数２】
2008042249.tif 000004
【００１３】
移動局装置は、受信した参照シンボルと予め保持している既知の参照シンボルとを比較して、次の数３で表される合成された伝搬路応答の推定値ｒを算出する。
【００１４】
【数３】
2008042249.tif 000005
【００１５】
移動局装置は、この合成された伝搬路応答の推定値ｒを用いて、受信したデータシンボルＤ’の伝搬路補償を行う。伝搬路補償後のデータシンボルＤｅｓｔｉｍａｔｅｄは、次の数４で表すことができる。
【００１６】
【数４】
2008042249.tif 000006
【００１７】
こうして、移動局装置において、送信されたＭＢＭＳデータのデータシンボルＤが取り出される。
このように、各サブキャリアグループ内の参照シンボルとデータシンボルに同じスクランブリング符号が乗算されているので、移動局装置で受信されるデータシンボルＤ’に対して、複数のセルからの合成された参照シンボルＲ’を用いて伝搬路補償を行うことができる。
【００１８】
以上の処理の結果、サブキャリアグループ内ではセル毎に異なるスクランブリング符号が乗算された信号が伝搬路において合成され、移動局装置において受信されるため、各サブキャリアグループ間の伝搬路応答の相関は小さくなり、送信ダイバーシチ効果を得ることができる。したがって、セルとセルの境界であるセルエッジに存在する移動局装置では、基地局装置からの距離が遠いため一つの基地局装置から送信された信号の受信電力が小さいが、複数セルからの信号を受信することにより、信号電力の増大と送信ダイバーシチ効果とにより受信特性を改善することができる。
【非特許文献１】３ＧＰＰ  ＴＳＧ  ＲＡＮ  ＷＧ１  ＃４５，Ｓｈａｎｇｈａｉ，Ｃｈｉｎａ，８−１２  Ｍａｙ，２００６  Ｒ１−０６１２６４，  “Ｆｕｒｔｈｅｒ  Ｓｔｕｄｙ  ｏｎ  Ｒｅｆｅｒｅｎｃｅ  Ｓｉｇｎａｌ  Ｓｔｒｕｃｔｕｒｅ  ｆｏｒ  ＭＢＭＳ”
【発明の開示】
【発明が解決しようとする課題】
【００１９】
一つのセル内において送信エリアを複数に分割したセクタの境界（セクタエッジ）に位置する移動局装置、例えば基地局装置近傍の移動局装置は、隣接セルからの受信電力が非常に小さいため上述したＣｅｌｌ−ｓｐｅｃｉｆｉｃ  ｒｅｆｅｒｅｎｃｅ  ｓｉｇｎａｌｓ  ｗｉｔｈ  ＧＳによる受信特性の改善は見込めない。しかしながら、セルエッジに位置する移動局装置と同様に、セクタエッジに位置する移動局装置に対しても、受信特性の改善を行うことがマルチセルＭＢＭＳのサービス向上には望まれる。更に、セルエッジにもセクタエッジにも位置しない移動局装置に対しても、マルチセルＭＢＭＳのサービス向上のために更なる受信特性の改善が望まれる。
【００２０】
本発明は上記の点に鑑みてなされたものであり、その目的は、セルエッジの移動局装置の受信特性を改善するＣｅｌｌ−ｓｐｅｃｉｆｉｃ  ｒｅｆｅｒｅｎｃｅ  ｓｉｇｎａｌｓ  ｗｉｔｈ  ＧＳを適用したマルチセルＭＢＭＳにおいて、セルエッジの移動局装置の受信特性を劣化させることなく、セルエッジに位置しない移動局装置に対しても受信特性の改善を図ることができる移動通信システム、基地局装置、および通信方法を提供することにある。
【課題を解決するための手段】
【００２１】
本発明は上記の課題を解決するためになされたものであり、予め既知の参照シンボルと送信するデータを変調して構成したデータシンボルとを複数のサブキャリアで送信する基地局装置と、この基地局装置から送信される信号を受信し、受信した参照シンボルに基づき推定した伝搬路応答に従って前記受信したデータシンボルを伝搬路補償して、伝搬路補償されたデータシンボルを復調する移動局装置とを有する移動通信システムであって、前記基地局装置は、送信エリアを１つ以上のセクタとして送信を行うセクタ毎に対応した送信機を備え、この各送信機が有する１つ以上の送信アンテナの各々が、少なくとも１つの前記参照シンボルおよび複数の前記データシンボルを含んで成る複数の前記サブキャリアをサブキャリアグループとして、該サブキャリアグループ毎にスクランブリング符号を乗算し更に一定の位相回転量による位相回転を行って、前記参照シンボルと各送信アンテナから同一の前記データシンボルとを送信し、前記移動局装置は、前記各送信アンテナからの合成された参照シンボルに基づいて合成された伝搬路応答の推定値を算出し、該合成された伝搬路応答の推定値に従って前記各送信アンテナからの合成されたデータシンボルを伝搬路補償し、伝搬路補償されたデータシンボルを復調することを特徴とする。
【００２２】
また、前記移動通信システムにおいて、前記位相回転量は、全ての送信アンテナで固有の値であることを特徴とする。
また、前記移動通信システムにおいて、前記位相回転量は、セクタ固有の値であることを特徴とする。
【００２３】
また、前記移動通信システムにおいて、前記位相回転量は、同一セクタ内において送信アンテナ固有の値であることを特徴とする。
また、前記移動通信システムにおいて、前記位相回転量は、複数の連続するサブキャリアグループについて各セクタ間または各送信アンテナ間で直交する直交符号を与える値であることを特徴とする。
【００２４】
また、前記移動通信システムにおいて、前記スクランブリング符号は、基地局装置固有であることを特徴とする。
また、前記移動通信システムにおいて、前記スクランブリング符号は、セクタ固有であることを特徴とする。
【００２５】
また、前記移動通信システムにおいて、前記位相回転量は隣接するサブキャリアグループ間で位相差が一定となるように制御されることを特徴とする。
【００２６】
また、前記移動通信システムにおいて、前記位相回転量はＭＢＭＳデータを送信する場合に付与されることを特徴とする。
【００２７】
また、予め既知の参照シンボルと送信するデータを変調して構成したデータシンボルとを複数のサブキャリアで移動局装置に送信する基地局装置であって、送信エリアを１つ以上のセクタとして送信を行うセクタ毎に対応した送信機を備え、この各送信機が有する１つ以上の送信アンテナの各々が、少なくとも１つの前記参照シンボルおよび複数の前記データシンボルを含んで成る複数の前記サブキャリアをサブキャリアグループとして、該サブキャリアグループ毎にスクランブリング符号を乗算し更に一定の位相回転量による位相回転を行って、前記参照シンボルと各送信アンテナから同一の前記データシンボルとを送信することを特徴とする。
【００２８】
また、前記基地局装置において、前記位相回転量は、全ての送信アンテナで固有の値であることを特徴とする。
また、前記基地局装置において、前記位相回転量は、セクタ固有の値であることを特徴とする。
【００２９】
また、前記基地局装置において、前記位相回転量は、同一セクタ内において送信アンテナ固有の値であることを特徴とする。
また、前記基地局装置において、前記位相回転量は、複数の連続するサブキャリアグループについて各セクタ間または各送信アンテナ間で直交する直交符号を与える値であることを特徴とする。
【００３０】
また、前記基地局装置において、前記スクランブリング符号は、基地局装置固有であることを特徴とする。
また、前記基地局装置において、前記スクランブリング符号は、セクタ固有であることを特徴とする。
【００３１】
また、前記基地局装置において、前記位相回転量は隣接するサブキャリアグループ間で位相差が一定となるように制御されることを特徴とする。
【００３２】
また、前記基地局装置において、前記位相回転量はＭＢＭＳデータを送信する場合に付与されることを特徴とする。
【００３３】
また、送信エリアを１つ以上のセクタとして送信を行うセクタ毎に対応した送信機を備え、予め既知の参照シンボルと送信するデータを変調して構成したデータシンボルとを複数のサブキャリアで送信する基地局装置と、この基地局装置から送信される信号を受信してデータシンボルの復調を行う移動局装置とを有する移動通信システムの通信方法であって、前記各送信機が有する１つ以上の送信アンテナの各々が、少なくとも１つの前記参照シンボルおよび複数の前記データシンボルを含んで成る複数の前記サブキャリアをサブキャリアグループとして、該サブキャリアグループ毎にスクランブリング符号を乗算するステップと、該サブキャリアグループ毎に更に一定の位相回転量による位相回転を行うステップと、前記位相回転された参照シンボルおよび各送信アンテナからの同一のデータシンボルを送信するステップと、前記移動局装置が、前記各送信アンテナからの合成された参照シンボルに基づいて合成された伝搬路応答の推定値を算出するステップと、前記合成された伝搬路応答の推定値に従って前記各送信アンテナからの合成されたデータシンボルを伝搬路補償するステップと、前記伝搬路補償されたデータシンボルを復調するステップとを有することを特徴とする。
【００３４】
また、前記通信方法において、前記位相回転量は、全ての送信アンテナで固有の値であることを特徴とする。
また、前記通信方法において、前記位相回転量は、セクタ固有の値であることを特徴とする。
【００３５】
また、前記通信方法において、前記位相回転量は、同一セクタ内において送信アンテナ固有の値であることを特徴とする。
また、前記通信方法において、前記位相回転量は、複数の連続するサブキャリアグループについて各セクタ間または各送信アンテナ間で直交する直交符号を与える値であることを特徴とする。
【００３６】
また、前記通信方法において、前記スクランブリング符号は、基地局装置固有であることを特徴とする。
また、前記通信方法において、前記スクランブリング符号は、セクタ固有であることを特徴とする。
【００３７】
また、前記通信方法において、前記位相回転量を隣接するサブキャリアグループ間で位相差が一定となるように設定することを特徴とする。
【００３８】
また、前記通信方法において、前記位相回転量はＭＢＭＳデータを送信する場合に付与されることを特徴とする。
【発明の効果】
【００３９】
本発明によれば、Ｃｅｌｌ−ｓｐｅｃｉｆｉｃ  ｒｅｆｅｒｅｎｃｅ  ｓｉｇｎａｌｓ  ｗｉｔｈ  ＧＳを適用したマルチセルＭＢＭＳにおいて、セルエッジの移動局装置の受信特性を劣化させることなく、セルエッジに位置しない移動局装置に対しても受信特性の改善を図ることができる。
【発明を実施するための最良の形態】
【００４０】
以下、図面を参照しながら本発明の実施形態について詳しく説明する。
図１は、セル及びセクタの一構成例を示した平面図である。なお、セルとは基地局装置から電波が届く小規模のエリアである。１つのセル（例えばセルＣ１）は６つのセル（セルＣ２〜セルＣ７）に隣接しており、各セルは３つのセクタ（例えばセルＣ１についてはセクタ＃１１、＃１２、＃１３）に分割されている。各セルを管理する基地局装置１は、セル内をこれら３セクタに分割して通信を行う。基地局装置１は指向性アンテナで構成された３つのセクタアンテナを備えており、このセクタアンテナにより電波が実質的に到達する範囲として１つのセルの中に３つの扇形のセクタが構成され、セルが分割される。
【００４１】
図２は、図１のセルＣ１とセルＣ２の部分を拡大した図である。図２に示すように、ある２つの基地局装置がそれぞれ管理しているセルの境界（セルＣ１とセルＣ２の境界である点Ｐ３と点Ｐ４を結ぶ直線）をセルエッジと呼ぶ。また、ある１つのセルに属する２つのセクタの境界（例えば、セクタ＃１１とセクタ＃１２の境界である点Ｐ１と点Ｐ２を結ぶ直線）をセクタエッジと呼ぶ。マルチセルＭＢＭＳでは、複数の基地局装置が同一のＭＢＭＳデータを送信し、移動局装置は当該複数の基地局装置からのＭＢＭＳデータを受信する。各基地局装置１は図示しない基地局制御装置と接続されており、この基地局制御装置によって、ＭＢＭＳデータの送信が制御される。
【００４２】
図３は、送信フレームの構成を示したものである。基地局装置は、複数の移動局装置へ配信するデータ（ＭＢＭＳデータ）を多数のサブキャリアにより送信する。サブキャリアは、いくつかのサブキャリアグループに分けられている。各サブキャリアグループには、伝搬路推定に用いるためのセル共通の参照シンボルが少なくとも一つ含まれる。図３においては、１つのサブキャリアグループは３つのサブキャリアからなり、参照シンボルは各サブキャリアグループにおける最低周波数を持つサブキャリアの先頭ＯＦＤＭシンボルに配置されている。
【００４３】
（第１の実施形態）
第１の実施形態は、Ｃｅｌｌ−ｓｐｅｃｉｆｉｃ  ｒｅｆｅｒｅｎｃｅ  ｓｉｇｎａｌｓ  ｗｉｔｈ  ＧＳを適用したマルチセルＭＢＭＳにおいて、セクタ間送信ダイバーシチが可能な移動通信システム、基地局装置、通信方法を提供する。
図４は、本発明の第１の実施形態による基地局装置１に備えられた、セクタ毎の送信機１０の構成を示すブロック図である。送信機１０は、セル内の各セクタに対応して設けられている。例えば図１のセルＣ１では、セクタ＃１１とセクタ＃１２とセクタ＃１３のそれぞれに対応して、基地局装置１が合計３つの送信機を有している。なお、各セクタの送信機１０は、それぞれ同一のＭＢＭＳデータを送信し、同一の変調を行い、同一のマッピングを行う。
【００４４】
図４において、送信機１０は、変調部１０１、参照シンボル生成部１０２、マッピング部１０３、Ｓ／Ｐ（Ｓｅｒｉａｌ／Ｐａｒａｌｌｅｌ；直並列）変換部１０４、スクランブリング符号乗算部１０５ａ〜１０５ｃ、位相回転部１０６ａ〜１０６ｃ、回転量制御部１０７、ＩＦＦＴ（逆高速フーリエ変換）部１０８、ＧＩ（Ｇｕａｒｄ  Ｉｎｔｅｒｖａｌ；ガードインターバル）付加部１０９、Ｄ／Ａ（Ｄｉｇｉｔａｌ／Ａｎａｌｏｇ；デジタル／アナログ）変換部１１０、ＲＦ（Ｒａｄｉｏ  Ｆｒｅｑｕｅｎｃｙ；無線周波数）部１１１、送信アンテナ１１２から構成される。
【００４５】
変調部１０１は、入力されるＭＢＭＳデータに対して、ＱＰＳＫ（Ｑｕａｄｒａｔｕｒｅ  Ｐｈａｓｅ  Ｓｈｉｆｔ  Ｋｅｙｉｎｇ；４相位相偏移変調）、１６ＱＡＭ（Ｑｕａｄｒａｔｕｒｅ  Ａｍｐｌｉｔｕｄｅ  Ｍｏｄｕｌａｔｉｏｎ；直交振幅変調）、６４ＱＡＭなどの変調を行って、変調データシンボルを出力する。参照シンボル生成部１０２は、伝搬路推定用の参照シンボルを生成して出力する。参照シンボルは、セル共通（すなわち、例えばセルＣ１とセルＣ２では参照シンボルは同一）、且つセクタ共通（すなわち、例えばセルＣ１においてセクタ＃１１〜セクタ＃１３では参照シンボルは同一）であるとする。マッピング部１０３は、変調データシンボルと参照シンボルのいずれかを選択し、Ｓ／Ｐ変換部１０４に出力する。この選択は、サブキャリアグループ毎の複数のシンボルの中に１つの参照シンボルが含まれ、且つその参照シンボルが固定の位置（当該サブキャリアグループの最低周波数を持つサブキャリアの先頭ＯＦＤＭシンボル）に配置されるように行われる。Ｓ／Ｐ変換部１０４は、入力される変調データシンボルと参照シンボルに対して直並列変換を行い、サブキャリアグループ毎に複数のシンボルにまとめて、当該サブキャリアグループに対応するスクランブリング符号乗算部１０５ａ〜１０５ｃに出力する。
【００４６】
スクランブリング符号乗算部１０５ａ〜１０５ｃは、入力される全てのシンボルに対して同一、且つスクラブリング符号乗算部間では異なるスクランブリング符号を乗算し、位相回転部１０６ａ〜１０６ｃに出力する。なお、少なくとも１送信フレーム内では一定のスクランブリング符号を用いる。位相回転部１０６ａ〜１０６ｃは、各スクランブリング符号乗算部１０５ａ〜１０５ｃから入力されるスクランブリング符号が乗算されたシンボルに対して、回転量制御部１０７より入力される回転量制御情報に従い決定される位相回転量を用いて位相回転を行い、ＩＦＦＴ部１０８に出力する。回転量制御部１０７は、各位相回転部１０６ａ〜１０６ｃの位相回転量を制御するための回転量制御情報を出力する。
【００４７】
ＩＦＦＴ部１０８は、各位相回転部１０６ａ〜１０６ｃから入力されるシンボルをサブキャリアにマッピングし、ＩＦＦＴを行って時間領域信号を出力する。ＧＩ付加部１０９は、ＩＦＦＴ部１０８から入力される時間領域信号にガードインターバルを付加して送信データ信号を生成し、Ｄ／Ａ変換部１１０に出力する。なお、図示しないが、ここで並直列変換が行われる。ＧＩ付加部１０９から出力される送信データ信号は、Ｄ／Ａ変換部１１０によりＤ／Ａ変換され、さらにＲＦ部１１１により無線信号に変換されて、送信アンテナ１１２を介して送信される。
【００４８】
ここで、回転量制御部１０７における、位相回転部１０６ａ〜１０６ｃ毎の位相回転量の制御方法を説明する。回転量制御部１０７は、隣接するサブキャリアグループ間で位相回転量差φが一定、且つこの位相回転量差φがセクタ毎に異なる値となるように、位相回転量を設定する。図５は、１つのセル（セルＣ１）が３つのセクタ（セクタ＃１１〜セクタ＃１３）で構成される場合において、各セクタに設定される位相回転量の例を示したものである。なお、説明の簡略化のため、サブキャリアグループの数は３つとする。図５に示すように、セクタ＃１１では位相回転量差φが０、セクタ＃１２では位相回転量差φがＡ、セクタ＃１３では位相回転量差φがＢとなる位相回転量を用いて、各サブキャリアグループの位相回転が行われる。すなわち、セクタ＃１１においてはサブキャリアグループ１、２、３の位相回転量は全て０であり、セクタ＃１２においてはサブキャリアグループ１、２、３の位相回転量はそれぞれＡ、２Ａ、３Ａであり、セクタ＃１３においてはサブキャリアグループ１、２、３の位相回転量はそれぞれＢ、２Ｂ、３Ｂである。
【００４９】
なお、隣接するサブキャリアグループ間で位相回転量差φを一定にするのは、以下の理由による。
すなわち、従来、周波数ダイバーシチ効果が得られるとともに、優れた受信誤り率特性を達成することができるＯｐｅｎ  ｌｏｏｐ  Ｔｒａｎｓｍｉｔ  Ｄｉｖｅｒｓｉｔｙとして、ＣＤＴＤ（Ｃｙｃｌｉｃ  Ｄｅｌａｙ  Ｔｒａｎｓｍｉｔ  Ｄｉｖｅｒｓｉｔｙ：循環遅延送信ダイバーシチ）が提案されている。このＣＤＴＤは、セル内のセクタ間送信ダイバーシチや、後述する第２及び第３の実施形態におけるセクタ内のアンテナ間送信ダイバーシチを得る場合のように、基地局装置からの送信系統が複数（例えばセクタ数が２、またはアンテナ数が２）存在する場合において、一方の送信信号をガードインターバルの付加前に複数サンプルシフトすることによって遅延ダイバーシチ効果を得る送信方法である。これと同様の効果は、サブキャリア間の位相回転量差が一定となるようにサブキャリア毎に位相回転を行うことによっても達成される。ところが、サブキャリア毎に参照シンボルが構成されていない送信フレームにおいてサブキャリア毎に位相回転を行うと、伝搬路推定に誤差が生じることとなってしまう。そこで本実施形態のように、少なくとも参照シンボルを１つ含むサブキャリアグループ内では一定の位相回転量とし、且つサブキャリアグループ間では位相回転量差φを一定とすることで、伝搬路推定誤差を抑えつつ、ＣＤＴＤに最も近い周波数ダイバーシチ効果が得られ、またＣＤＴＤに最も近い受信誤り率特性を達成することが可能となる。なお、周波数ダイバーシチ効果を高めるためには、位相回転量差φは大きな値且つセクタ間で異なる値に設定することが好ましい。
【００５０】
図６は、本発明の第１の実施形態による移動局装置に備えられた受信機２０の構成を示すブロック図である。受信機２０は、受信アンテナ２０１、ＲＦ部２０２、Ａ／Ｄ（Ａｎａｌｏｇ／Ｄｉｇｉｔａｌ；アナログ／デジタル）変換部２０３、シンボル同期部２０４、ＧＩ除去部２０５、ＦＦＴ（Ｆａｓｔ  Ｆｏｕｒｉｅｒ  Ｔｒａｎｓｆｏｒｍ；高速フーリエ変換）部２０６、デマッピング部２０７、伝搬路推定部２０８、伝搬路補償部２０９ａ〜２０９ｃ、Ｐ／Ｓ（Ｐａｒａｌｌｅｌ／Ｓｅｒｉａｌ；並直列）変換部２１０、復調部２１１から構成される。
【００５１】
受信アンテナ２０１は、基地局装置１の送信機１０から送信される信号を受信する。ＲＦ部２０２は、受信アンテナ２０１が受信した無線信号をベースバンド信号に変換し、Ａ／Ｄ変換部２０３に出力する。Ａ／Ｄ変換部２０３は、ＲＦ部２０２から入力されるアナログ信号に対してＡ／Ｄ変換を行い、ＯＦＤＭ信号を出力する。
【００５２】
シンボル同期部２０４は、Ａ／Ｄ変換部２０３から入力されるＯＦＤＭ信号に対して同期を取る。ＧＩ除去部２０５は、同期が取られたＯＦＤＭ信号からガードインターバルを除去し、ＦＦＴ部２０６に出力する。ＦＦＴ部２０６は、ガードインターバルが除去された時間領域のＯＦＤＭ信号に対してＦＦＴを行い、サブキャリア毎の受信信号をデマッピング部２０７に出力する。なお、図示しないが、ここで直並列変換が行われる。デマッピング部２０７は、サブキャリア毎の受信信号を参照シンボルとデータシンボルに分離した上で、参照シンボルを伝搬路推定部２０８に、データシンボルを伝搬路補償部２０９ａ〜２０９ｃに、それぞれ出力する。
【００５３】
伝搬路推定部２０８は、入力された参照シンボルから伝搬路応答を推定し、推定した伝搬路応答に基づいて当該参照シンボルが属するサブキャリアグループに適用するための伝搬路補償値を算出し、算出した伝搬路補償値を当該サブキャリアグループに対応する伝搬路補償部２０９に出力する。なお、伝搬路推定方法の一例として、受信した参照シンボルに対し、送信側で参照シンボルに用いた既知の符号の複素共役信号を乗じて、伝搬路推定値を得ることができる。各伝搬路補償部２０９ａ〜２０９ｃは、伝搬路推定部２０８から入力された伝搬路補償値に従って、デマッピング部２０７からのデータシンボルに対し伝搬路において当該データシンボルに付与された伝搬路変動の補償を行い、補償後のデータシンボルをＰ／Ｓ変換部２１０に出力する。
【００５４】
Ｐ／Ｓ変換部２１０は、入力される伝搬路補償されたデータシンボルに対して並直列変換を行い、復調部２１１に出力する。復調部２１１は、送信機１０側での変調処理に用いられたＱＰＳＫ、１６ＱＡＭ、６４ＱＡＭなどの各方式に従って、Ｐ／Ｓ変換部２１０から入力されたデータシンボルの復調を行い、復調により取り出されたＭＢＭＳデータを出力する。こうして、移動局装置において、基地局装置１から送られたＭＢＭＳデータが取得される。
【００５５】
ここで、本実施形態において基地局装置から送信され移動局装置に受信されるデータの具体例を説明する（図１２参照）。サブキャリアグループ１の例で説明を行うが、他のサブキャリアグループについても同様である。
まず、セルＣ１を管理する基地局装置が、セクタ＃１２とセクタ＃１３を介してデータを送信する状況を考える。セクタ＃１２に対応した送信機１０は、参照シンボルＲ１とデータシンボルＤを同一のスクランブリング符号ＳＣｅｌｌＣ１１によりスクランブルし、さらに同一の位相回転量Ａを用いて位相回転を行い送信する。送信信号は、それぞれＲ１×ＳＣｅｌｌＣ１１×Ａ、Ｄ×ＳＣｅｌｌＣ１１×Ａとなる。同様に、セクタ＃１３に対応した送信機１０は、参照シンボルＲ１とデータシンボルＤを同一のスクランブリング符号ＳＣｅｌｌＣ１１によりスクランブルし、さらに同一の位相回転量Ｂを用いて位相回転を行い送信する。送信信号は、それぞれＲ１×ＳＣｅｌｌＣ１１×Ｂ、Ｄ×ＳＣｅｌｌＣ１１×Ｂとなる。送信された各シンボルは、伝搬路から伝搬路応答ｈ＃１２、ｈ＃１３を受けて、移動局装置に受信される。すると、移動局装置で受信される、各セクタからの合成された参照シンボルＲ’とデータシンボルＤ’は、それぞれ次の数５および数６で表されることになる。
【００５６】
【数５】
2008042249.tif 000007
【００５７】
【数６】
2008042249.tif 000008
【００５８】
移動局装置は、受信した参照シンボルと予め保持している既知の参照シンボルとを比較して、次の数７で表される合成された伝搬路応答の推定値ｒを算出する。
【００５９】
【数７】
2008042249.tif 000009
【００６０】
移動局装置は、この合成された伝搬路応答の推定値ｒを用いて、受信したデータシンボルＤ’の伝搬路補償を行う。伝搬路補償後のデータシンボルＤｅｓｔｉｍａｔｅｄは、次の数８で表すことができる。
【００６１】
【数８】
2008042249.tif 000010
【００６２】
こうして、移動局装置において、異なるセクタで送信されたＭＢＭＳデータのデータシンボルＤが取り出される。
このように、各サブキャリアグループ内の参照シンボルとデータシンボルに同じ位相回転量の位相回転が行われているので、移動局装置で受信されるデータシンボルＤ’に対して、複数のセクタからの合成された参照シンボルＲ’を用いて伝搬路補償を行うことができる。
【００６３】
次に、セルＣ１を管理する基地局装置からセクタ＃１２を介してデータが送信され、またセルＣ２を管理する基地局装置からセクタ＃２１を介してデータが送信される状況を考える。セルＣ１のセクタ＃１２に対応した送信機１０は、参照シンボルＲ１とデータシンボルＤを同一のスクランブリング符号ＳＣｅｌｌＣ１１によりスクランブルし、さらに同一の位相回転量ＡＣ１を用いて位相回転を行い送信する。送信信号は、それぞれＲ１×ＳＣｅｌｌＣ１１×ＡＣ１、Ｄ×ＳＣｅｌｌＣ１１×ＡＣ１となる。同様に、セルＣ２のセクタ＃２１に対応した送信機１０は、参照シンボルＲ１とデータシンボルＤ（マルチセルＭＢＭＳであるのでセルＣ１からのＭＢＭＳデータと同じＭＢＭＳデータを送信する）を同一のスクランブリング符号ＳＣｅｌｌＣ２１によりスクランブルし、さらに同一の位相回転量ＡＣ２を用いて位相回転を行い送信する。送信信号は、それぞれＲ１×ＳＣｅｌｌＣ２１×ＡＣ２、Ｄ×ＳＣｅｌｌＣ２１×ＡＣ２となる。送信された各シンボルは、伝搬路から伝搬路応答ｈＣ１、ｈＣ２を受けて、移動局装置に受信される。すると、移動局装置で受信される、各セルＣ１、Ｃ２からの合成された参照シンボルＲ’とデータシンボルＤ’は、それぞれ次の数９および数１０で表されることになる。
【００６４】
【数９】
2008042249.tif 000011
【００６５】
【数１０】
2008042249.tif 000012
【００６６】
移動局装置は、受信した参照シンボルと予め保持している既知の参照シンボルとを比較して、次の数１１で表される合成された伝搬路応答の推定値ｒを算出する。
【００６７】
【数１１】
2008042249.tif 000013
【００６８】
移動局装置は、この合成された伝搬路応答の推定値ｒを用いて、受信したデータシンボルＤ’の伝搬路補償を行う。伝搬路補償後のデータシンボルＤｅｓｔｉｍａｔｅｄは、次の数１２で表すことができる。
【００６９】
【数１２】
2008042249.tif 000014
【００７０】
こうして、移動局装置において、異なるセルから送信されたＭＢＭＳデータのデータシンボルＤが取り出される。
このように、各サブキャリアグループ内の参照シンボルとデータシンボルに同じスクランブリング符号が乗算されているので、移動局装置で受信されるデータシンボルＤ’に対して、複数のセルからの合成された参照シンボルＲ’を用いて伝搬路補償を行うことができる。ここで、受信信号には送信側においてセクタ間で異なる位相回転が行われているが、この受信信号に対して伝搬路推定部２０８は付加的な推定処理を行う必要はなく、また伝搬路補償部２０９は付加的な補償処理を行う必要はない。そのため、簡易な構成で処理を行うことができる。
【００７１】
以上の処理の結果、サブキャリアグループ内ではセクタ毎に異なる位相回転量で位相回転された信号が伝搬路において合成されるため、セルエッジの移動局装置の受信信号と同様に、セクタエッジの移動局装置の受信信号においても各サブキャリアグループ間の伝搬路応答の相関は小さくなり、周波数ダイバーシチ効果が得られ、受信特定を向上させることができる。
【００７２】
（第２の実施形態）
第２の実施形態は、Ｃｅｌｌ−ｓｐｅｃｉｆｉｃ  ｒｅｆｅｒｅｎｃｅ  ｓｉｇｎａｌｓ  ｗｉｔｈ  ＧＳを適用したマルチセルＭＢＭＳにおいて、セクタ内のアンテナ間送信ダイバーシチが可能な移動通信システム、基地局装置、通信方法を提供する。
図７は、本発明の第２の実施形態による基地局装置１に備えられた、セクタ毎の送信機１０の構成を示すブロック図である。図７において、送信機１０は、変調部１０１、参照シンボル生成部１０２、マッピング部１０３、Ｓ／Ｐ変換部１０４、スクランブリング符号乗算部１０５ａ〜１０５ｃ、位相回転部１０６ａ〜１０６ｃ、回転量制御部１０７、ＩＦＦＴ部１０８、ＧＩ付加部１０９、Ｄ／Ａ変換部１１０、ＲＦ部１１１、送信アンテナ１１２から構成される。なお、第１の実施形態とは、アンテナ間の送信ダイバーシチを得るため、位相回転部１０６ａ〜１０６ｃ、回転量制御部１０７、ＩＦＦＴ部１０８、ＧＩ付加部１０９、Ｄ／Ａ変換部１１０、ＲＦ部１１１、送信アンテナ１１２が複数セット備えられているところが異なっている（図中破線部）。
【００７３】
変調部１０１は、入力されるＭＢＭＳデータに対して、ＱＰＳＫ、１６ＱＡＭ、６４ＱＡＭなどの変調を行って、変調データシンボルを出力する。参照シンボル生成部１０２は、伝搬路推定用の参照シンボルを生成して出力する。参照シンボルは、セル共通（すなわち、例えばセルＣ１とセルＣ２では参照シンボルは同一）、且つセクタ共通（すなわち、例えばセルＣ１においてセクタ＃１１〜セクタ＃１３では参照シンボルは同一）であるとする。マッピング部１０３は、変調データシンボルと参照シンボルのいずれかを選択し、Ｓ／Ｐ変換部１０４に出力する。この選択は、サブキャリアグループ毎の複数のシンボルの中に１つの参照シンボルが含まれ、且つその参照シンボルが固定の位置（当該サブキャリアグループの最低周波数を持つサブキャリアの先頭ＯＦＤＭシンボル）に配置されるように行われる。Ｓ／Ｐ変換部１０４は、入力される変調データシンボルと参照シンボルに対して直並列変換を行い、サブキャリアグループ毎に複数のシンボルにまとめて、当該サブキャリアグループに対応するスクランブリング符号乗算部１０５ａ〜１０５ｃに出力する。
【００７４】
スクランブリング符号乗算部１０５ａ〜１０５ｃは、入力される全てのシンボルに対して同一、且つスクラブリング符号乗算部間では異なるスクランブリング符号を乗算し、位相回転部１０６ａ〜１０６ｃに出力する。なお、少なくとも１送信フレーム内では一定のスクランブリング符号を用いる。位相回転部１０６ａ〜１０６ｃは、各スクランブリング符号乗算部１０５ａ〜１０５ｃから入力されるスクランブリング符号が乗算されたシンボルに対して、回転量制御部１０７より入力される回転量制御情報に従い決定される位相回転量を用いて位相回転を行い、ＩＦＦＴ部１０８に出力する。回転量制御部１０７は、各位相回転部１０６ａ〜１０６ｃの位相回転量を制御するための回転量制御情報を出力する。
【００７５】
ＩＦＦＴ部１０８は、各位相回転部１０６ａ〜１０６ｃから入力されるシンボルをサブキャリアにマッピングし、ＩＦＦＴを行って時間領域信号を出力する。ＧＩ付加部１０９は、ＩＦＦＴ部１０８から入力される時間領域信号にガードインターバルを付加して送信データ信号を生成し、Ｄ／Ａ変換部１１０に出力する。なお、図示しないが、ここで並直列変換が行われる。ＧＩ付加部１０９から出力される送信データ信号は、Ｄ／Ａ変換部１１０によりＤ／Ａ変換され、さらにＲＦ部１１１により無線信号に変換されて、送信アンテナ１１２を介して送信される。
なお、基地局装置は、複数セット備えられている位相回転部１０６ａ〜１０６ｃ、回転量制御部１０７、ＩＦＦＴ部１０８、ＧＩ付加部１０９、Ｄ／Ａ変換部１１０、ＲＦ部１１１により同様の処理を行い、複数の送信アンテナ１１２から同時に信号を送信する。
【００７６】
ここで、回転量制御部１０７における、位相回転部１０６ａ〜１０６ｃ毎の位相回転量の制御方法を説明する。回転量制御部１０７は、隣接するサブキャリアグループ間で位相回転量差φが一定、且つこの位相回転量差φが送信アンテナ毎に異なる値となるように、位相回転量を設定する。図８は、１つの送信機１０に２本の送信アンテナ１１２が備えられている場合において、当該送信機１０が受け持つセクタに設定される位相回転量の例を示したものである。なお、説明の簡略化のため、サブキャリアグループの数は３つとする。図８に示すように、送信アンテナ＃１では位相回転量差φが０、送信アンテナ＃２では位相回転量差φがＣとなる位相回転量を用いて、各サブキャリアグループの位相回転が行われる。すなわち、送信アンテナ＃１においてはサブキャリアグループ１、２、３の位相回転量は全て０であり、送信アンテナ＃２においてはサブキャリアグループ１、２、３の位相回転量はそれぞれＣ、２Ｃ、３Ｃである。
【００７７】
なお、隣接するサブキャリアグループ間で位相回転量差φを一定にする理由は、第１の実施形態の場合と同じである。また、周波数ダイバーシチ効果を高めるためには、位相回転量差φは大きな値且つ送信アンテナ間で異なる値に設定することが好ましい。
また、各セクタの送信機１０は、それぞれ同一のＭＢＭＳデータを送信し、同一の変調を行い、同一のマッピングを行う。
【００７８】
本実施形態による移動局装置の受信機の構成、動作は、第１の実施形態の場合と同じであるので説明は省略する。
【００７９】
第１の実施形態の場合（数５〜数８参照）と同じように、本実施形態においても各サブキャリアグループ内の参照シンボルとデータシンボルに同じ位相回転量の位相回転が行われているので、移動局装置で受信される参照シンボルとデータシンボルは、全ての送信アンテナからの合成された位相回転量で位相回転されることになる。したがって、移動局装置で受信されるデータシンボルに対して、複数の送信アンテナからの合成された参照シンボルを用いて伝搬路補償を行うことができる。
また、第１の実施形態の場合（数９〜数１２参照）と同じように、本実施形態においても各サブキャリアグループ内の参照シンボルとデータシンボルに同じスクランブリング符号が乗算されているので、移動局装置で受信される参照シンボルとデータシンボルには、全てのセルからの合成されたスクランブリング符号が乗算されることになる。したがって、移動局装置で受信されるデータシンボルに対して、複数のセルからの合成された参照シンボルを用いて伝搬路補償を行うことができる。ここで、受信信号には送信側において送信アンテナ間で異なる位相回転が行われているが、この受信信号に対して伝搬路推定部２０８は付加的な推定処理を行う必要はなく、また伝搬路補償部２０９は付加的な補償処理を行う必要はない。そのため、簡易な構成で処理を行うことができる。
【００８０】
以上の処理の結果、サブキャリアグループ内では送信アンテナ毎に異なる位相回転量で位相回転された信号が伝搬路において合成されるため、セルエッジに位置する移動局装置の受信信号と同様に、セルエッジやセクタエッジに位置しない移動局装置の受信信号においても各サブキャリアグループ間の伝搬路応答の相関は小さくなり、周波数ダイバーシチ効果が得られ、受信特性を向上させることができる。
【００８１】
次に、本実施形態において、セクタエッジに位置する移動局装置の受信特性を更に向上させる方法について説明する。回転量制御部１０７の処理をセクタ固有のものとし、隣接セクタで設定する送信アンテナ毎の位相回転量を考慮しない場合、隣接セクタの送信アンテナ間で同一の位相回転量が設定される場合がある。そのような場合、セクタエッジに位置する移動局装置においては両セクタの一部の送信アンテナから同一の位相回転量で送信された信号を受信してしまい、それらの送信アンテナの位相回転に対してはサブキャリアグループ間の伝搬路応答の相関が低くなるメリットを享受できなくなる。そこで、基地局装置は、各セクタの各送信アンテナで設定する位相回転量を全て異なる値に設定する。
【００８２】
図９に位相回転の一例を示す。説明の簡略化のため、１セルが３セクタ、セクタ内で送信アンテナ２本の場合について示す。図９において、セクタ＃１１の送信アンテナ＃１についてはサブキャリアグループ１、２、３の位相回転量は全て０である。セクタ＃１１の送信アンテナ＃２についてはサブキャリアグループ１、２、３の位相回転量はそれぞれＤ、２Ｄ、３Ｄである。セクタ＃１２の送信アンテナ＃１についてはサブキャリアグループ１、２、３の位相回転量はそれぞれ−Ｅ、−２Ｅ、−３Ｅである。セクタ＃１２の送信アンテナ＃２についてはサブキャリアグループ１、２、３の位相回転量はＦ、２Ｆ、３Ｆ−２πである。セクタ＃１３の送信アンテナ＃１についてはサブキャリアグループ１、２、３の位相回転量は−Ｇ、−２Ｇ、−３Ｇ＋２πである。セクタ＃１３の送信アンテナ＃２についてはサブキャリアグループ１、２、３の位相回転量はＨ、２Ｈ、３Ｈである。
【００８３】
このように、各セクタの各送信アンテナで設定する位相回転量を全て異なる値に設定すると、セクタ＃１１とセクタ＃１２のセクタエッジ、セクタ＃１２とセクタ＃１３のセクタエッジ、セクタ１３とセクタ＃１１のセクタエッジに位置する移動局装置が受信する信号は、受信電力が支配的な信号がどの送信アンテナからのものであるかに関わらず、各送信アンテナから全て異なる位相回転量で位相回転された信号となるため、各サブキャリアグループ間の伝搬路応答の相関が小さくなり、周波数ダイバーシチ効果が得られ、受信特性を向上させることができる。
【００８４】
（第３の実施形態）
第３の実施形態は、Ｃｅｌｌ−ｓｐｅｃｉｆｉｃ  ｒｅｆｅｒｅｎｃｅ  ｓｉｇｎａｌｓ  ｗｉｔｈ  ＧＳを適用したマルチセルＭＢＭＳにおいて、セクタ間送信ダイバーシチおよびセクタ内のアンテナ間送信ダイバーシチが可能な移動通信システム、基地局装置、通信方法を提供する。
図１０は、本発明の第３の実施形態による基地局装置１に備えられた、セクタ毎の送信機１０の構成を示すブロック図である。図１０において、送信機１０は、変調部１０１、参照シンボル生成部１０２、マッピング部１０３、Ｓ／Ｐ変換部１０４、スクランブリング符号乗算部１０５ａ〜１０５ｃ、第１位相回転部１１３ａ〜１１３ｃ、第２位相回転部１１４ａ〜１１４ｃ、第１回転量制御部１１５、第２回転量制御部１１６、ＩＦＦＴ部１０８、ＧＩ付加部１０９、Ｄ／Ａ変換部１１０、ＲＦ部１１１、送信アンテナ１１２から構成される。なお、第２の実施形態とは、位相回転部と回転量制御部が２種類備えられているところが異なっている。
【００８５】
本実施形態では、位相回転部と回転量制御部以外の部分の構成、動作は前述の実施形態と同じであるので説明を省略する。
【００８６】
本実施形態の位相回転部と回転量制御部は、上で説明した図９のように、各セクタの各送信アンテナで設定する位相回転量を全て異なる値に設定する。具体的には、第１回転量制御部１１５はセクタ固有の位相回転量を設定し、第２回転量制御部１１６は送信アンテナ固有の位相回転量を設定する。位相回転量の設定手順としては、先ず、第１回転量制御部１１５は、セクタ毎に異なる位相回転量を設定する。次に、第２回転量制御部１１６は、第１回転量制御部１１５において設定された位相回転量を考慮し、隣接するセクタの各送信アンテナと位相回転量が同一の値とならないように位相回転量を設定する。なお、隣接しないセクタの送信アンテナからの信号の受信電力は十分に小さいため、隣接しないセクタの送信アンテナ間では位相回転量が同一の値となってもよい。また、隣接するセクタ数やセクタ内の送信アンテナ数に依存して、各送信アンテナで設定する位相回転量の差を均等にすると小さい値に制限されるため、第１回転量制御部１１５において先ずセクタ間で位相回転量を大きな値に設定し、次いで第２回転量制御部１１６においては送信アンテナ間で位相回転量を小さな値に設定するようにしてもよい。これは、受信特性の劣悪なセクタエッジの移動局装置を受信特性の比較的良好な基地局装置近傍の移動局装置より優先して、周波数ダイバーシチ効果が得られるようにするためである。
【００８７】
以上の処理の結果、セルエッジに位置する移動局装置の受信信号と同様に、セクタエッジに位置する移動局装置や、セルエッジにもセクタエッジにも位置しない移動局装置の受信信号においても、各サブキャリアグループ間の伝搬路応答の相関は小さくなり、周波数ダイバーシチ効果が得られ、受信特性を向上させることができる。また、この周波数ダイバーシチ効果を適宜制御することが可能である。
【００８８】
（第４の実施形態）
第４の実施形態の移動通信システムでは、各セクタ間で直交符号を用いる。
図１１は、直交符号乗算の説明図である。ここでは、３セクタ構成で直交符号の符号長が４の場合について示す。各セクタでは、４つのサブキャリアグループを１つの組として直交符号が乗算される。セクタ＃１１では、サブキャリアグループ１に符号＋１、サブキャリアグループ２に符号＋１、サブキャリアグループ３に符号＋１、サブキャリアグループ４に符号＋１を乗算する。セクタ＃１２では、サブキャリアグループ１に符号＋１、サブキャリアグループ２に符号−１、サブキャリアグループ３に符号＋１、サブキャリアグループ４に符号−１を乗算する。セクタ＃１３では、サブキャリアグループ１に符号＋１、サブキャリアグループ２に符号＋１、サブキャリアグループ３に符号−１、サブキャリアグループ４に符号−１を乗算する。
【００８９】
本実施形態の送信機は、４つのサブキャリアグループにマッピングされた各データに対して、変調部においてインタリーブや誤り率訂正符号化などの変調処理を行う。また、本実施形態の受信機は、直交符号の逆拡散処理を行わず、送信機において位相回転が行われたものとして、合成参照シンボルを用いて伝搬路推定を行う。直交符号を用いた位相回転が行われると、４つのサブキャリアグループ内では各セクタからの受信信号の伝搬路応答の相関が非常に小さくなり、受信機の復調部におけるデインタリーブや誤り訂正復号処理の特性が向上する。
【００９０】
なお、本実施形態において、前述した第２の実施形態のようにセクタ内の送信アンテナ間ダイバーシチを適用することもできる。その際、サブキャリアグループ毎ではなく、直交符号が乗算される複数サブキャリアグループ毎に、一定の位相回転量で位相回転を行うようにしてもよい。
【００９１】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、回転量制御部１０７において、隣接するサブキャリアグループ間で位相回転量差φを一定としない構成もとり得る。
【００９２】
また、第１乃至第４の実施形態において、ＭＢＭＳデータを送信する場合のみサブキャリアグループ内一定の位相回転を行い、ＭＢＭＳデータ以外のデータを送信する場合には位相回転を行わないようにしてもよい。
【図面の簡単な説明】
【００９３】
【図１】移動通信システムのセル及びセクタの一構成例を示した平面図である。
【図２】図１のセルＣ１とセルＣ２の部分を拡大した図である。
【図３】送信フレームの構成を示した図である。
【図４】本発明の第１の実施形態による基地局装置に備えられた、セクタ毎の送信機の構成を示すブロック図である。
【図５】第１の実施形態において各セクタに設定される位相回転量の例を示した図である。
【図６】本発明の第１の実施形態による移動局装置に備えられた受信機の構成を示すブロック図である。
【図７】本発明の第２の実施形態による基地局装置に備えられた、セクタ毎の送信機の構成を示すブロック図である。
【図８】第２の実施形態において各セクタの各送信アンテナに設定される位相回転量の例を示した図である。
【図９】第２の実施形態において各セクタの各送信アンテナに設定される位相回転量の別の例を示した図である。
【図１０】本発明の第３の実施形態による基地局装置に備えられた、セクタ毎の送信機の構成を示すブロック図である。
【図１１】第４の実施形態における直交符号乗算の説明図である。
【図１２】スクランブリング符号を用いたスクランブリングの説明図である。
【符号の説明】
【００９４】
１…基地局装置  １０…送信機  １０１…変調部  １０２…参照シンボル生成部  １０３…マッピング部  １０４…Ｓ／Ｐ変換部  １０５…スクランブリング符号乗算部  １０６…位相回転部  １０７…回転量制御部  １０８…ＩＦＦＴ部  １０９…ＧＩ付加部  １１０…Ｄ／Ａ変換部  １１１…ＲＦ部  １１２…送信アンテナ
【図１】
2008042249.tif 000015
【図２】
2008042249.tif 000016
【図３】
2008042249.tif 000017
【図４】
2008042249.tif 000018
【図５】
2008042249.tif 000019
【図６】
2008042249.tif 000020
【図７】
2008042249.tif 000021
【図８】
2008042249.tif 000022
【図９】
2008042249.tif 000023
【図１０】
2008042249.tif 000024
【図１１】
2008042249.tif 000025
【図１２】
2008042249.tif 000026